(57)【要約】【課題】  圏外エリア滞在中にもかかわらず、消費電流の低減を図ることができる移動通信端末の消費電流制御方法を提供することを目的とする。【解決手段】  ＧＰＳ衛星１１からの端末位置情報を管理する機能と無線通信機能を有する移動通信端末２０に、前記端末位置情報が受信された場合に端末２０からの圏外流出通知の有無を判断する。圏外流出通知があった場合、前記端末位置情報に基づいてデータベース部に格納されている圏外位置情報の更新を行うと共に、前記無線通信機能を停止させる。前記端末位置情報が受信されていない場合、前記無線通信機能が停止中であるか否か判断し、停止中であれば前記無線通信機能を起動させる。【選択図】  図１
2007251885.tif 000002
【特許請求の範囲】
【請求項１】
ＧＰＳ衛星からの端末位置情報を管理する制御手段と無線部を有する移動通信端末と、該移動通信端末との送受信を行う基地局とを有する移動通信システムにおいて、
前記制御手段は、
前記移動通信端末の圏外位置情報が格納されたデータベース部を有し、
前記端末位置情報が受信された場合に前記端末からの圏外流出通知の有無を判断し、圏外流出通知があった場合、前記端末位置情報に基づいて前記データベース部の圏外位置情報の更新を行うと共に、前記無線部の無線機能を停止させ、
前記端末位置情報が受信されていない場合、前記無線部が停止中であるか否か判断し、停止中であれば前記無線部を起動させる
ことを特徴とする移動通信システム。
【請求項２】
前記制御手段は、
前記圏外流出通知がなかった場合、前記無線部が停止中であるか否か、かつ前記ＧＰＳ衛星から受信した端末位置情報が前記データベースに格納されている圏外位置情報と不一致であるか否かを判断し、前記無線部が停止中であり、かつ前記受信した端末位置情報が前記圏外位置情報と一致しない場合、前記無線部の無線機能を起動させる
ことを特徴とする請求項１記載の移動通信システム。
【請求項３】
ＧＰＳ衛星からの端末位置情報を管理する制御手段と無線部を有する移動通信端末において、
前記制御手段は、
前記移動通信端末の圏外位置情報が格納されたデータベース部を有し、
前記端末位置情報が受信された場合に前記端末からの圏外流出通知の有無を判断し、圏外流出通知があった場合、前記端末位置情報に基づいて前記データベース部の圏外位置情報の更新を行うと共に、前記無線部の無線機能を停止させ、
前記端末位置情報が受信されていない場合、前記携帯電話無線部が停止中であるか否か判断し、停止中であれば携帯電話無線部を起動させると共に、前記ワイヤレスＬＡＮ無線部が停止中であるか否か判断し、停止中であればワイヤレスＬＡＮ無線部を起動させる
ことを特徴とする移動通信端末。
【請求項４】
前記制御手段は、
前期圏外流出通知がなかった場合、前記無線部が停止中であるか否か、かつ前記ＧＰＳ衛星から受信した端末位置情報が前記データベースに格納されている圏外位置情報と不一致であるか否かを判断し、前記無線部が停止中であり、かつ前記受信した端末位置情報が前記圏外位置情報と一致しない場合、前記無線部の無線機能を起動させる
ことを特徴とする請求項３記載の移動通信端末。
【請求項５】
ＧＰＳ衛星からの端末位置情報を管理する制御手段と携帯電話無線部とワイヤレスＬＡＮ無線部を有する移動通信端末において、
前記制御手段は、携帯電話及びワイヤレスＬＡＮの圏外位置情報が格納されたデータベース部を有し、前記端末位置情報が受信された場合に前記端末からの圏外流出通知の有無を判断し、圏外流出通知があった場合、前記端末位置情報に基づいて前記データベース部の圏外位置情報の更新を行うと共に、前記携帯電話無線部及びワイヤレスＬＡＮ無線部の無線機能を停止させることを特徴とする移動通信端末。
【請求項６】
前記制御手段は、前記圏外流出通知がなかった場合、前記携帯電話無線部が停止中であるか否か、かつ前記ＧＰＳ衛星から受信した端末位置情報が前記データベース部に格納されている前記携帯電話の圏外位置情報と不一致であるか否かを判断し、前記携帯電話無線部が停止中であり、かつ前記受信した端末位置情報が前記圏外位置情報と一致しない場合、前記携帯電話無線部の無線機能を起動させることを特徴とする請求項５記載の移動通信端末。
【請求項７】
前記制御手段は、前記圏外流出通知がなかった場合、前記ワイヤレスＬＡＮ無線部が停止中であるか否か、かつ前記ＧＰＳ衛星から受信した端末位置情報が前記データベース部に格納されている前記ワイヤレスＬＡＮの圏外位置情報と不一致であるか否かを判断し、前記ワイヤレスＬＡＮ無線部が停止中であり、かつ前記受信した端末位置情報が前記圏外位置情報と一致しない場合、前記ワイヤレスＬＡＮ無線部の無線機能を起動させることを特徴とする請求項５記載の移動通信端末。
【請求項８】
前記制御手段は、前記端末位置情報が受信されていない場合、前記携帯電話無線部が停止中であるか否か判断し、停止中であれば携帯電話無線部を起動させると共に、前記ワイヤレスＬＡＮ無線部が停止中であるか否か判断し、停止中であればワイヤレスＬＡＮ無線部を起動させることを特徴とする請求項３又は５記載の移動通信端末。
【請求項９】
ＧＰＳ衛星からの端末位置情報を管理する機能と無線通信機能を有する移動通信端末の消費電流制御方法において、
前記端末位置情報が受信された場合に前記端末からの圏外流出通知の有無を判断するステップと、
圏外流出通知があった場合、前記端末位置情報に基づいてデータベース部に格納されている圏外位置情報の更新を行うと共に、前記無線通信機能を停止させるステップと、
前記端末位置情報が受信されていない場合、前記無線通信機能が停止中であるか否か判断し、停止中であれば前記無線通信機能を起動させるステップ
を有することを特徴とする消費電流制御方法。
【請求項１０】
前記圏外流出通知がなかった場合、前記無線部が停止中であるか否か、かつ前記ＧＰＳ衛星から受信した端末位置情報が前記データベースに格納されている圏外位置情報と不一致であるか否かを判断するステップと、
前記無線部が停止中であり、かつ前記受信した端末位置情報が前記圏外位置情報と一致しない場合、前記無線部の無線機能を起動させるステップを
有することを特徴とする請求項９記載の消費電流制御方法。
【請求項１１】
ＧＰＳ衛星からの端末位置情報を管理する管理機能と携帯電話無線機能とワイヤレスＬＡＮ無線機能を有する移動通信端末の制御方法において、
前記端末位置情報が受信された場合に前記端末からの圏外流出通知の有無を判断するステップと、
圏外流出通知があった場合、前記端末位置情報に基づいてデータベース部に格納されている圏外位置情報の更新を行うと共に、前記携帯電話無線部及びワイヤレスＬＡＮ無線部の無線機能を停止させるステップ
を有することを特徴とする消費電流制御方法。
【請求項１２】
前記圏外流出通知がなかった場合、前記携帯電話無線部が停止中であるか否か、かつ前記ＧＰＳ衛星から受信した端末位置情報が前記データベース部に格納されている前記携帯電話の圏外位置情報と不一致であるか否かを判断するステップと、
前記携帯電話無線部が停止中であり、かつ前記受信した端末位置情報が前記圏外位置情報と一致しない場合、前記携帯電話無線部の無線機能を起動させるステップ
を有することを特徴とする請求項１１記載の消費電流制御方法。
【請求項１３】
前記圏外流出通知がなかった場合、前記ワイヤレスＬＡＮ無線部が停止中であるか否か、かつ前記ＧＰＳ衛星から受信した端末位置情報が前記データベース部に格納されている前記ワイヤレスＬＡＮの圏外位置情報と不一致であるか否かを判断するステップと、
前記ワイヤレスＬＡＮ無線部が停止中であり、かつ前記受信した端末位置情報が前記圏外位置情報と一致しない場合、前記ワイヤレスＬＡＮ無線部の無線機能を起動させるステップ
を有することを特徴とする請求項１１記載の消費電流制御方法。
【請求項１４】
前記端末位置情報が受信されていない場合、前記携帯電話無線部が停止中であるか否か判断するステップと、
停止中であれば携帯電話無線部を起動させると共に、前記ワイヤレスＬＡＮ無線部が停止中であるか否か判断するステップと、
停止中であればワイヤレスＬＡＮ無線部を起動させるステップ
を有することを特徴とする請求項９又は１１記載の消費電流制御方法。
【請求項１５】
コンピュータに、ＧＰＳ衛星からの端末位置情報を管理する機能と無線通信機能を有する移動通信端末の消費電流制御を行わせるプログラムであって、
前記端末位置情報が受信された場合に前記端末からの圏外流出通知の有無を判断するステップと、
圏外流出通知があった場合、前記端末位置情報に基づいてデータベース部に格納されている圏外位置情報の更新を行うと共に、前記無線通信機能を停止させるステップと、
前記端末位置情報が受信されていない場合、前記無線通信機能が停止中であるか否か判断し、停止中であれば前記無線通信機能を起動させるステップ
を実行させることを特徴とするプログラム。
【請求項１６】
請求項１５に記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）。
【発明の詳細な説明】
【技術分野】
【０００１】
本発明は、ＧＰＳ衛星からの端末位置情報を管理する制御手段と無線部を有する移動通信端末、該移動通信端末との送受信を行う基地局とを有する移動通信システム、移動通信端末の消費電流制御方法、プログラム、記憶媒体に関する。
【背景技術】
【０００２】
携帯電話、ＰＨＳ（Personal Handyphone System）、ＰＤＡ（Personal Data Assistance，Personal Digital Assistants：個人向け携帯型情報通信機器）、ワイヤレスＬＡＮ等の移動通信端末の多くは、いかに電池寿命を延ばし、ユーザが外で充電なしに連続利用できる時間を増やすかが商品価値の一要素である。
【０００３】
従来の携帯電話、ＰＨＳ、ＰＤＡ、ワイヤレスＬＡＮ等の携帯端末においては、通信を確立するために、まず、携帯端末側から基地局、ワイヤレスＬＡＮアクセスポイントに対して電波の発信を行う。たとえば基地局は、その電波を受信すると、携帯端末が基地局の電波の有効範囲内にあると認識し、その情報は移動体通信事業者の有するデータベースに登録されることにより、通信可能状態となる。
【０００４】
しかし、携帯端末側から基地局に対して電波を発信しても基地局に届かず基地局からの応答がない状態（圏外状態）では、携帯端末の情報が移動体通信事業者のデータベースに登録されることがないので、通信可能状態とはならず、基地局に対して電波の発信を定期的に繰り返している。
【０００５】
なお、関連する先行技術として、以下の特許文献１には、着信時応答メッセージの種類、着信報知用音声の種類、着信報知用音声の音量、および着信報知用振動機構の振動周期などを動作モードに応じて切替え可能に構成された移動通信端末および通信システムが示されている。
【０００６】
【特許文献１】特開２００３−２６４８７５号公報
【発明の開示】
【発明が解決しようとする課題】
【０００７】
上記したような電波状況の悪い圏外エリア（端末利用エリア外の場所）にて利用する携帯端末は、連続待ち受け可能時間、及び装置本体の電池寿命が短いという問題があった。これは、圏外エリア滞在中に、圏外であるにもかかわらず、無線基地局と無駄な送受信を実施することにより消費電流の増大を招いていたからである。
【０００８】
そこで本発明は、圏外エリア滞在中にもかかわらず、消費電流の低減を図ることができる移動通信システム、移動通信端末、消費電流制御方法、プログラム、及び記憶媒体を提供することを目的とする。
【課題を解決するための手段】
【０００９】
上記課題を解決するために、本件発明は、以下の特徴を有する課題を解決するための手段を採用している。
【００１０】
本発明の第１の態様に係る移動通信システムは、
ＧＰＳ衛星からの端末位置情報を管理する制御手段と無線部を有する移動通信端末と、該移動通信端末との送受信を行う基地局とを有する移動通信システムにおいて、
前記制御手段は、前記移動通信端末の圏外位置情報が格納されたデータベース部を有し、前記端末位置情報が受信された場合に前記端末からの圏外流出通知の有無を判断し、圏外流出通知があった場合、前記端末位置情報に基づいて前記データベース部の圏外位置情報の更新を行うと共に、前記無線部の無線機能を停止させ、前記端末位置情報が受信されていない場合、前記無線部が停止中であるか否か判断し、停止中であれば前記無線部を起動させることを特徴とする。
【００１１】
本発明の第２の態様に係る移動通信端末は、
ＧＰＳ衛星からの端末位置情報を管理する制御手段と無線部を有する移動通信端末において、
前記制御手段は、前記移動通信端末の圏外位置情報が格納されたデータベース部を有し、前記端末位置情報が受信された場合に前記端末からの圏外流出通知の有無を判断し、圏外流出通知があった場合、前記端末位置情報に基づいて前記データベース部の圏外位置情報の更新を行うと共に、前記無線部の無線機能を停止させ、前記端末位置情報が受信されていない場合、前記携帯電話無線部が停止中であるか否か判断し、停止中であれば携帯電話無線部を起動させると共に、前記ワイヤレスＬＡＮ無線部が停止中であるか否か判断し、停止中であればワイヤレスＬＡＮ無線部を起動させることを特徴とする。
【００１２】
さらに、本発明は、前記制御手段が、前期圏外流出通知がなかった場合、前記無線部が停止中であるか否か、かつ前記ＧＰＳ衛星から受信した端末位置情報が前記データベースに格納されている圏外位置情報と不一致であるか否かを判断し、前記無線部が停止中であり、かつ前記受信した端末位置情報が前記圏外位置情報と一致しない場合、前記無線部の無線機能を起動させることを特徴とする。
【発明の効果】
【００１３】
移動通信端末の携帯電話及びワイヤレスＬＡＮが圏外エリアに移動した際、過去にＧＰＳによって貯蓄した圏外情報を元に無線部を停止することで、圏外時の無駄な送受信動作を停止することが可能になり、移動通信端末の消費電流を低減し、待連続待ち受け時間、通話時間、及び電池寿命を延ばす効果がある。
【００１４】
また、ＧＰＳ衛星１１から端末位置情報を受信していない場合でも携帯電話無線部及び／又はワイヤレスＬＡＮ無線部が停止中であるか否か判断し、停止中であれば携帯電話無線部及び／又はワイヤレスＬＡＮ無線部を起動させるよう制御するので端末使用不可状態を利用可能状態にさせることができる。
【発明を実施するための最良の形態】
【００１５】
以下、本発明の一実施の形態について図面を参照して詳細に説明する。
【００１６】
図１は、本発明の一実施の形態に係る移動通信システムの構成を示した図である。１１はＧＰＳ衛星（人工衛星基地局）であり、ＧＰＳ等位置情報を通知するものである。１２はワイヤレスＬＡＮアクセスポイント、１３は携帯電話網の基地局である。２０は移動通信端末、２１はＧＰＳと位置情報を送受信するＧＰＳ無線部、２２はワイヤレスＬＡＮ無線部、２３は携帯電話用無線部である。２４は電話の音声やデータの送受信や、移動通信端末のサービスをユーザに音声で知らせる送受信部、２５はユーザが移動通信端末の機能を選択利用する為にキー入力等を行う操作部、２６は移動通信端末のサービスをユーザに可視的に表現する表示部である。２７は携帯電話の通信を管理する無線通信機能部、２８はＧＰＳの通信を管理するＧＰＳ機能部、２９はワイヤレスＬＡＮの通信を管理するワイヤレスＬＡＮ機能部である。３０は移動通信端末の制御部、３０−ａは移動通信端末のモード管理部である。
【００１７】
モード管理部３０−ａは、制御部３０から通知されるワイヤレスＬＡＮ及び携帯電話通信網の圏外流出通知と圏内流入通知、及びＧＰＳ無線部２１から通知される位置情報を管理する。具体的には、モード管理部３０−ａは携帯電話圏外データベース部とワイヤレスＬＡＮ圏外データベース部を有し、携帯電話圏外データベース部に格納されている圏外情報（圏外位置情報）の更新と、ワイヤレスＬＡＮ圏外データベース部に格納されている圏外情報（圏外位置情報）の更新を行う。
【００１８】
また、モード管理部３０−ａは、制御部３０に対して、ワイヤレスＬＡＮ無線部２２、携帯電話用無線部２３の起動、停止を通知する。
【００１９】
図２は、本発明の一実施の形態に係る移動通信システムの動作を説明する図である。図２は、携帯電話及びワイヤレスＬＡＮの圏外、圏内の管理、携帯電話用無線部及びワイヤレスＬＡＮ無線部の起動、停止、ＧＰＳデータ受信による処理の様子を表わしている。以下、図２を参照して本実施の形態に係る移動通信システムの動作、すなわち本実施の形態に係る移動通信端末の消費電流制御方法について詳細に説明する。
【００２０】
移動通信端末２０は、ＧＰＳ衛星１１からＧＰＳ無線部２１を介して位置情報（ＧＰＳ検出信号）を受信する。制御部３０は、前記受信した位置情報（自己の端末の位置情報）に基づいて移動通信端末２０の位置情報を取得する（Ｓ１０１）。制御部３０は、自己端末が端末利用エリア外に流出している場合に出される圏外流出通知の有無を判断する（Ｓ１０２）。圏外流出通知が出されている場合、モード管理部３０−ａはモード管理部３０−ａ内の携帯電話圏外データベース部に格納されている圏外情報（圏外位置情報）の更新を行う。制御部３０は携帯電話無線部２３の無線機能を停止させる。もって携帯電話網の基地局１３と移動通信端末２０との送受信が停止される（Ｓ１０３）。
【００２１】
ＧＰＳ衛星１１から自己位置情報の受信があると（Ｓ１０１）、制御部３０は前記携帯電話からの圏外流出通知の有無を判断する（Ｓ１０２）。携帯電話からの圏外流出通知がなかった場合（Ｓ１０２でＮｏ）、携帯電話無線部２３が停止中であるか否か、かつＧＰＳ衛星１１から受信した位置情報がモード管理部３０ａ内の携帯電話圏外データベースに格納されている圏外情報と不一致であるか否かを判断する（Ｓ１０４）。携帯電話無線部２３が停止中であり、かつ前記受信した位置情報が前記携帯電話圏外データベースに格納されている圏外情報と一致しない場合（Ｓ１０４でＹＥＳ）、制御部３０は携帯電話無線部２３の無線機能を起動させる（Ｓ１０５）。もって携帯電話網の基地局１３と移動通信端末２０との送受信が開始される。
【００２２】
移動通信端末２０はＧＰＳ衛星１１から前記位置情報が受信された場合（Ｓ１０１でＹＥＳ）、その後制御部３０がワイヤレスＬＡＮからの圏外流出通知の有無を判断する（Ｓ１０６）。圏外流出通知が出されていた場合（Ｓ１０６でＹＥＳ）、モード管理部３０−ａはモード管理部３０−ａ内のワイヤレスＬＡＮ圏外データベース部に格納されている圏外情報（圏外位置情報）の更新を行う。その後制御部３０はワイヤレスＬＡＮ無線部２２の無線機能を停止させる。もってワイヤレスＬＡＮアクセスポイント１２と移動通信端末２０との送受信が停止される（Ｓ１０７）。
【００２３】
一方ワイヤレスＬＡＮからの圏外流出通知がなかった場合（Ｓ１０６でＮｏ）、ワイヤレスＬＡＮ無線部２２が停止中であるか否か、かつＧＰＳ衛星１１から受信した位置情報がワイヤレスＬＡＮ圏外データベース部に格納されている圏外情報と不一致であるか否かを判断する（Ｓ１０８）。ワイヤレスＬＡＮ無線部２２が停止中であり、かつ前記受信した位置情報が前記ワイヤレスＬＡＮ圏外データベース部に格納されている圏外情報と一致しない場合（Ｓ１０８でＹＥＳ）、制御部３０はワイヤレスＬＡＮ無線部２２の無線機能を起動させる（Ｓ１０９）。もってワイヤレスＬＡＮアクセスポイント１２と移動通信端末２０との送受信が開始される。
【００２４】
また、本機能は操作部２５により図２に示された各処理動作について有効にするか、無効にするかを切り替えることができる。その結果は、送受信部２４、表示部２６を介してユーザに通知されるものとする。
【００２５】
ＧＰＳ衛星１１から端末位置情報を受信していない場合（Ｓ１０１でＮｏ）、携帯電話無線部２３が停止中であるか否か判断し（Ｓ１１０）、携帯電話無線部２３が停止中であれば（Ｓ１１０でＹｅｓ）、携帯電話無線部２３を起動する（Ｓ１１１）。ＧＰＳ衛星１１から端末位置情報を受信していない場合（Ｓ１０１でＮｏ）、ワイヤレスＬＡＮ無線部２２が停止中であるか否か判断し（Ｓ１１２）、ワイヤレスＬＡＮ無線部２２が停止中であれば（Ｓ１１２でＹｅｓ）、ワイヤレスＬＡＮ無線部２２を起動する（Ｓ１１３）。
【００２６】
また、発明対象としては、上記移動通信端末の消費電流制御方法における各処理ステップをコンピュータに実行させるプログラムも含み、このプログラムはプログラムそのものであってもよいし、このプログラムがコンピュータで読み取り可能な記録媒体に格納されているものであってもよい。
【００２７】
本発明では、この記録媒体として、マイクロコンピュータで処理が行なわれるために必要なメモリ、例えばＲＯＭのようなものそのものがプログラムメディアであってもよいし、また、図示していない外部記憶装置としてプログラム読み取り装置が設けられ、そこに記録媒体を挿入することで読み取り可能なプログラムメディアであってもよい。いずれの場合においても、格納されているプログラムはマイクロコンピュータがアクセスして実行させる構成であってもよいし、あるいはいずれの場合もプログラムを読み出し、読み出されたプログラムは、マイクロコンピュータのプログラム記憶エリアにロードされて、そのプログラムが実行される方式であってもよい。このロード用のプログラムは予め本体装置に格納されているものとする。
【００２８】
ここで、上記プログラムメディアは、本体と分離可能に構成される記録媒体であり、磁気テープやカセットテープ等のテープ系、ＦＤ（フレキシブルディスク）やＨＤ（ハードディスク）等の磁気ディスクやＣＤ−ＲＯＭ／ＭＯ／ＭＤ／ＤＶＤ等の光ディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００２９】
また、本発明においては、インターネットを含む通信ネットワークと接続可能なシステム構成であることから、通信ネットワークからプログラムをダウンロードするように流動的にプログラムを担持する媒体であってもよい。なお、このように通信ネットワークからプログラムをダウンロードする場合には、そのダウンロード用プログラムは予め装置本体に格納しておくか、あるいは別の記録媒体からインストールされるものであってもよい。
【００３０】
さらに、本発明では、プログラム自体として、マイクロコンピュータで実行される処理そのものであってもよいし、あるいはインターネットを含む通信ネットワークとアクセスすることで取り込める、あるいは取り込めたものであってもよいし、こちらから送り出すものであってもよい。
【００３１】
また、上記した各実施の形態は、本発明を好適に実施した形態の一例に過ぎず、本発明は、その主旨を逸脱しない限り、種々変形して実施することが可能なものである。
【産業上の利用可能性】
【００３２】
ＧＰＳ機能を内蔵した移動通信端末の通信網に適用される。
【図面の簡単な説明】
【００３３】
【図１】本発明の一実施の形態に係る移動通信システムの構成を示した図である。
【図２】本発明の一実施の形態に係る移動通信システムの動作を説明する図である。
【符号の説明】
【００３４】
１１    ＧＰＳ衛星
１２    ワイヤレスＬＡＮアクセスポイント
１３    携帯電話網の基地局
２０    移動通信端末
２１    ＧＰＳ無線部
２２    ワイヤレスＬＡＮ無線部
２３    携帯電話用無線部
２４    送受信部
２５    操作部
２６    表示部
２７    無線通信機能部
２８    ＧＰＳ機能部
２９    ワイヤレスＬＡＮ機能部
３０    制御部
３０−ａ    モード管理部
【図１】
2007251885.tif 000003
【図２】
2007251885.tif 000004